(57)【要約】【課題】記録されて排出用開口部から排出されようとする用紙が、設置面に載置された用紙の側面に当接してしまい、排出用開口部の外側に排出できずに紙ジャムとなってしまうことがあるという課題がある。【解決手段】用紙に記録する記録部を収容する筐体としてのハウジング１４と、ハウジング１４に設けられ、記録部によって記録された用紙が排出される排出用開口部１３と、ハウジング１４の設置面Ｅからの高さを変更する高さ変更部材としての排出部カバー２０と、を備える記録装置を提供する。【選択図】図５
2015039777.tif 000002
【特許請求の範囲】
【請求項１】
記録媒体に記録する記録部を収容する筐体と、
前記筐体に設けられ、前記記録部によって記録された前記記録媒体が排出される排出用開口部と、
前記筐体の設置面からの高さを変更可能にする高さ変更部材と、を備えることを特徴とする記録装置。
【請求項２】
請求項１に記載の記録装置であって、
前記高さ変更部材は、前記排出用開口部を前記記録媒体に記録を実行する際には開き、非使用時には閉じるカバー部材であることを特徴とする記録装置。
【請求項３】
請求項１に記載の記録装置であって、
前記高さ変更部材は、前記筐体を支持する脚部材であり、
前記脚部材は、前記筐体の底部に収容可能に構成されることを特徴とする記録装置。
【請求項４】
請求項３に記載の記録装置であって、
前記脚部材は、前記筐体の一部であることを特徴とする記録装置。
【請求項５】
請求項３または請求項４に記載の記録装置であって、
前記脚部材は、前記記録媒体の搬送方向において前記筐体の前記排出用開口部側に備えられることを特徴とする記録装置。
【請求項６】
請求項５に記載の記録装置であって、
前記脚部材は、前記記録媒体の搬送方向において前記筐体の前記排出用開口部と反対側に備えられることを特徴とする記録装置。
【発明の詳細な説明】
【技術分野】
【０００１】
本発明は、記録装置に関する。
【背景技術】
【０００２】
携行可能な大きさに小型化した記録装置が知られている。例えば、特許文献１のプリンターは、記録された用紙が排出される排出用開口部の位置を、筐体の底部に近い位置に設けることにより記録装置を小型化している。
【先行技術文献】
【特許文献】
【０００３】
【特許文献１】特開２００４−１２２７１９号公報
【発明の概要】
【発明が解決しようとする課題】
【０００４】
しかしながら、排出用開口部が筐体の底部に近い位置に設けられていると、複数枚の用紙が、連続して記録部に供給され、排出用開口部から連続して排出される場合には、排出された用紙を載置したままにしておくと、排出用開口部に対して用紙が、同じくらいの高さになると、排出用開口部から排出されようとする用紙が、先に排出されて設置面に載置された用紙の側面に当接してしまい、排出用開口部の外側に排出できずに紙ジャムとなってしまうことがあるという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に記録する記録部を収容する筐体と、前記筐体に設けられ、前記記録部によって記録された前記記録媒体が排出される排出用開口部と、前記筐体の設置面からの高さを変更可能にする高さ変更部材と、を備えることを特徴とする記録装置。
【０００７】
本適用例によれば、筐体の設置面からの高さを変更可能にする高さ変更部材が備えられる。これにより、筐体の設置面からの高さを高い状態に設定すれば、排出用開口部の設置面からの高さが高くなる。そのため、排出用開口部から排出されようとする記録媒体の先端部が、先に排出されて設置面に載置された記録媒体の側面に当接することが抑制される。これにより、排出用開口部から排出されようとする記録媒体が排出用開口部の外側に排出できずに紙ジャムとなることが少なくなる。
【０００８】
［適用例２］前記高さ変更部材は、前記排出用開口部を前記記録媒体に記録を実行する際には開き、非使用時には閉じるカバー部材であることを特徴とする上記記録装置。
【０００９】
本適用例によれば、カバー部材が高さ変更部材としても機能するので、高さ変更部材として別部材を設けなくてもよいので、記録装置の製造コストが増加することを抑制できる。
【００１０】
［適用例３］前記高さ変更部材は、前記筐体を支持する脚部材であり、前記脚部材は、前記筐体の底部に収容可能に構成されることを特徴とする上記記録装置。
【００１１】
本適用例によれば、脚部材を筐体の底部に収容できるので、脚部材が筐体の底部から突出しない。そのため、記録装置の携帯が容易となる。
【００１２】
［適用例４］前記脚部材は、前記筐体の一部であることを特徴とする上記記録装置。
【００１３】
本適用例によれば、筐体の底壁の一部が脚部材としても機能するので、筐体とは別に脚部材を設けなくてもよいので、記録装置の製造コストが増加することを抑制できる。
【００１４】
［適用例５］前記脚部材は、前記記録媒体の搬送方向において前記筐体の前記排出用開口部側に備えられることを特徴とする上記記録装置。
【００１５】
本適用例によれば、脚部材として設ける部材の個数を少なくできるので、記録装置の製造コストが増加することを抑制できる。
【００１６】
［適用例６］前記脚部材は、前記記録媒体の搬送方向において前記筐体の前記排出用開口部と反対側に備えられることを特徴とする上記記録装置。
【００１７】
本適用例によれば、水平方向に対する記録装置の傾斜角度を小さくできる。これにより、排出用開口部側が高い状態で水平方向に対する記録装置の傾斜角度が大きい場合と比べて、排出用開口部から記録媒体が容易に排出される。
【図面の簡単な説明】
【００１８】
【図１】プリンターの外観斜視図。
【図２】プリンターにおいて用紙供給部カバーを開いた状態で、記録部保護カバーを取り外した状態を示す外観斜視図。
【図３】ハウジング、用紙供給部カバー、記録部保護カバーを取り除いた状態における装置本体の斜視図。
【図４】プリンターの断面図。
【図５】（ａ）は、プリンターの使用状態における外観斜視図、（ｂ）は、使用状態のプリンターを主走査方向から見た図。
【図６】実施形態２において、スライド可能に備えられた排出部カバーの部分を示す斜視図。
【図７】（ａ）は、実施形態３における使用状態のプリンターを底部側から見た斜視図、（ｂ）は、使用状態のプリンターを主走査方向から見た図。
【図８】（ａ）は、実施形態４における使用状態のプリンターを底部側から見た斜視図、（ｂ）は、使用状態のプリンターを主走査方向から見た図。
【図９】実施形態５におけるハウジングの底部に備えられた脚部材の部分の斜視図。
【図１０】実施形態６におけるプリンターを底部側から見た斜視図。
【発明を実施するための形態】
【００１９】
以下、実施形態について、図面に従って説明する。
（実施形態１）
図１は記録装置の一例であるプリンター１０の外観斜視図であり、図２は、プリンター１０において用紙供給部カバー１６を開いた状態で、記録部保護カバー１８（図５参照）を取り外した状態を示す外観斜視図である。プリンター１０の全体構成について概説する。
【００２０】
ハウジング１４は、装置本体１２を覆って、プリンター１０の外観を構成する。プリンター１０の鉛直方向Ｄ３における上面には、用紙供給部カバー１６が設けられている。以降、「上面」、「上側」、「上方」、「下側」、「下方」、「下端」は、鉛直方向Ｄ３における、上面、上側、上方、下側、下方、下端をいう。用紙供給部カバー１６は、ハウジング１４の上面に回動可能に取り付けられている。用紙供給部カバー１６は、ハウジング１４に対して、図１の閉じた状態と、図２の開いた状態とを取り得る。用紙供給部カバー１６がハウジング１４に対して閉じた状態にある場合、ハウジング１４の上面とともにプリンター１０の上面を構成する。
【００２１】
用紙供給部カバー１６がハウジング１４に対して開いた状態にある場合、プリンター１０の背面側（副走査方向Ｄ２上流側）に傾斜した状態となる。この状態において、用紙供給部カバー１６の裏面は、記録媒体としての用紙の載置面１６ａとして機能する。
【００２２】
用紙開口部２６には、プリンター１０の幅方向（主走査方向Ｄ１）に接離移動可能に構成された一対の用紙ガイド２８が設けられている。一対の用紙ガイド２８は、用紙の幅方向における両端を拘束し、装置幅方向における用紙の位置を規定する。
【００２３】
図２に示すように、記録部保護カバー１８をハウジング１４から取り外した状態にある場合、使用者は装置本体１２に設けられた記録部３０にアクセス可能となる。
【００２４】
操作部２２は、プリンター１０を操作するための電源ボタンや印刷設定ボタン等を備えて構成されている。用紙供給部カバー１６がハウジング１４に対して開いた状態にある場合、使用者は操作部２２に対してアクセス可能となり、プリンター１０の操作をすることができる。
【００２５】
ハウジング１４の前面（副走査方向Ｄ２下流側）には、排出部カバー２０が設けられている。排出部カバー２０は、ハウジング１４の前面に回動軸Ａ１を支点として回動可能に取り付けられている。図２に示すように、排出部カバー２０が開いた状態では、ハウジング１４の前面には、排出用開口部１３が形成される。
【００２６】
図３は、ハウジング１４、用紙供給部カバー１６、記録部保護カバー１８を取り除いた状態における装置本体１２の斜視図である。図４は、主走査方向Ｄ１から見たプリンター１０の断面図である。
【００２７】
載置面１６ａに載置された用紙を副走査方向Ｄ２下流側に給送する用紙供給部２４が設けられている。以降、「上流側」、「下流側」は、副走査方向Ｄ２における、上流側、下流側をいう。用紙供給部２４は、用紙開口部２６と、用紙開口部２６に設けられた一対の用紙ガイド２８と、用紙開口部２６から投入された用紙を案内する用紙案内面３４と、用紙案内面３４と対向する位置に設けられたピックアップローラー３６と、戻しレバー３８とを備えている。
【００２８】
図２の用紙供給部カバー１６がハウジング１４に対して開いた状態にある場合、用紙開口部２６はプリンター１０の上方に対して開いた状態となる。このため、図３の用紙供給部２４は、載置面１６ａに載置された用紙を後述する給送経路に給送可能となる。
【００２９】
図４のピックアップローラー３６は、揺動軸４０を中心に揺動する支持部材４２に設けられている。ピックアップローラー３６は、用紙案内面３４に載置された用紙に対して接離方向に揺動可能に構成されている。ピックアップローラー３６は、用紙案内面３４に接近する方向に変位した際、用紙案内面３４に載置された最上位の用紙と接し、最上位の用紙を下流側に給送する。この際、次位以降の用紙は、戻しレバー３８により用紙案内面３４に戻され、次位以降の用紙が不用意に下流側に給送されることを防止する。
【００３０】
用紙供給部２４の下流側には搬送部４４が設けられている。搬送部４４は、搬送駆動ローラー４６と、搬送従動ローラー４８とを備えている。搬送駆動ローラー４６は、搬送ローラー軸５０に一体に取り付けられ、図示しない駆動手段により搬送ローラー軸５０とともに回転する。搬送部４４は、用紙供給部２４から給送された用紙を搬送駆動ローラー４６と搬送従動ローラー４８との間で用紙をニップして下流側に搬送する。搬送部４４の下流側には記録部３０が設けられている。
【００３１】
記録部３０は、キャリッジ５２と、キャリッジ５２の底部に設けられた記録ヘッド５４と、記録ヘッド５４に対向し、用紙を支持する支持部としての下部案内部材すなわちプラテン５６とを備えている。記録ヘッド５４は、プラテン５６に支持された用紙と対向する。
【００３２】
キャリッジ５２は、制御部６０により制御される駆動モーター５７によって主走査方向Ｄ１に往復動する様に駆動される。プラテン５６は、用紙を下方から支持することにより、用紙の記録面と記録ヘッド５４のヘッド面との間の距離（ギャップ）を規定する。
【００３３】
記録部３０の下流側には、排出部３２が設けられている。排出部３２は、排出ローラー５８を備えている。記録部３０で記録が実行された用紙は、排出ローラー５８により排出部３２の搬送方向下流側（副走査方向Ｄ２下流側）すなわち装置前方に向けて排出される。
【００３４】
制御部６０は、用紙供給部２４、搬送部４４、記録部３０及び排出部３２に電気的に接続され、操作部２２から入力された指示に基づいて各部の動作を制御する。また、制御部６０は、駆動モーター５７を介してキャリッジ５２の移動及び搬送ローラー軸５０の回転を制御している。尚、図４において制御部６０は、装置本体１２の外側に図示されているが説明のための図示であり、装置本体１２内に設けられている。
【００３５】
記録部３０は、キャリッジ５２と、記録ヘッド５４と、プラテン５６とに加え、さらにキャリッジガイド軸６２と、図示しないキャリッジ駆動手段と、を備えている。キャリッジガイド軸６２は、主走査方向Ｄ１すなわち装置本体の幅方向に延設される。キャリッジガイド軸６２は、キャリッジ５２の背面側に設けられた軸受け部６４に通されてキャリッジ５２を支持する。また、キャリッジガイド軸６２は中空軸として構成されている。
【００３６】
キャリッジ５２は、キャリッジ５２の前面側に支持部６６を備えている。キャリッジ５２は、支持部６６を介して装置本体１２に設けられた主走査方向Ｄ１に延びるフレーム６８に支持されている。
【００３７】
次に、使用状態におけるプリンター１０について説明する。図５（ａ）は、プリンター１０の使用状態における外観斜視図である。図５（ｂ）は、使用状態のプリンター１０を主走査方向Ｄ１から見た図である。図５（ａ）、（ｂ）は、図２の排出部カバー２０をさらに回動方向Ｄ４に回動させ、排出部カバー２０の長手方向が副走査方向Ｄ２と交わる方向となる状態を示す。
【００３８】
排出部カバー２０は、ハウジング１４と排出部カバー２０との係合部（不図示）によって、排出部カバー２０の長手方向が副走査方向Ｄ２と交わる方向となる状態で固定される。図５（ａ）、（ｂ）に示す状態では、排出部カバー２０の回動軸Ａ１と反対側の端面２０１が、設置面Ｅに当接し、ハウジング１４の背面側底部１４２が設置面Ｅに当接する。そのため、ハウジング１４の前面側底部１４１は設置面Ｅから離れた位置となる。
【００３９】
用紙Ｐ１は、記録部３０によって記録されて排出用開口部１３から排出され、設置面Ｅに載置された複数の用紙である。用紙Ｐ２は、記録部３０で記録され、排出ローラー５８により下流側に排出されようとする状態の用紙である。
【００４０】
図５（ｂ）に示すように、本実施形態における使用状態では、排出用開口部１３の下側を形成する排出部カバー２０の回動軸Ａ１側の端面２０２における設置面Ｅからの高さＨ１は、設置面Ｅに載置された複数の用紙Ｐ１の最上部Ｐ１ａにおける設置面Ｅからの高さＨ２より高い位置にある。
【００４１】
従って、記録部３０によって記録され、排出されようとする用紙Ｐ２の先端部Ｐ２ａは、設置面Ｅに載置された複数の用紙Ｐ１の上流側の側面Ｐ１ｂに当接することが抑制され、複数の用紙Ｐ１の最上部Ｐ１ａに沿って排出される。
【００４２】
以上、本実施形態で説明した図５（ａ）のプリンター１０は、用紙に記録する記録部３０を収容する筐体としてのハウジング１４と、ハウジング１４に設けられ、記録部３０によって記録された用紙が排出される排出用開口部１３と、ハウジング１４の設置面Ｅからの高さを変更可能にする高さ変更部材としての排出部カバー２０と、を備える。
【００４３】
この構成によれば、ハウジング１４の設置面Ｅからの高さを高い状態に設定すれば、排出用開口部１３の設置面Ｅからの高さが高くなる。そのため、排出用開口部１３から排出されようとする用紙Ｐ２の先端部Ｐ２ａが、先に排出されて設置面Ｅに載置された用紙Ｐ１の上流側の側面Ｐ１ｂに当接することが抑制される。これにより、排出用開口部１３から排出されようとする用紙Ｐ２が排出用開口部１３の外側に排出できずに紙ジャムとなることが少なくなる。
【００４４】
また、排出部カバー２０が排出用開口部１３のカバー部材として機能するとともに、高さ変更部材としても機能する。そのため、高さ変更部材として別部材を設けなくてもよいので、プリンター１０の製造コストが増加することを抑制できる。
【００４５】
（実施形態２）
実施形態１における排出部カバー２０は、ハウジング１４の前面に回動可能に備えられたが、実施形態２では、ハウジングの前面にスライド可能に備えられた排出部カバーについて説明する。図６（ａ）、（ｂ）は、鉛直方向Ｄ３にスライド可能に備えられた排出部カバーの部分を示す斜視図である。図６（ａ）は、排出用開口部１３を閉じた状態を示す。図６（ｂ）は、図６（ａ）の状態にある排出部カバー７０を下方にスライドさせた状態を示す斜視図である。
【００４６】
排出用開口部１３における主走査方向Ｄ１の両端部には、鉛直方向Ｄ３に延びる溝部１４３が設けられる。溝部１４３の下側には、溝部１４３と連続して形成され、上流側に延びる溝部１４４が形成される。
【００４７】
このような構成により、排出部カバー７０は、溝部１４３に沿ってスライド可能に備えられ、排出部カバー７０の上端部７０１と溝部１４４が係合した状態で使用することができる。排出部カバー７０が、図６（ｂ）の位置にあるとき、排出部カバー７０の下端部７０２は設置面Ｅに当接し、ハウジング１４の前面側底部１４１は、設置面Ｅから離れた位置にある。従って、排出用開口部１３の設置面Ｅからの高さが高くなる。
【００４８】
これにより、排出用開口部１３から排出されようとする用紙の先端部が、先に排出されて設置面Ｅに載置された用紙の上流側の側面に当接することが抑制される。これにより、排出用開口部１３から排出されようとする用紙が排出用開口部１３の外側に排出できずに紙ジャムとなることが少なくなる。本実施形態におけるその他の構成は、実施形態１で説明した構成と同じである。
【００４９】
（実施形態３）
実施形態３では、筐体を支持する脚部材を備えたプリンターについて説明する。図７（ａ）は、本実施形態における使用状態にあるプリンター１０ａを底部側から見た斜視図である。図７（ａ）に示すように、一対の脚部材８０が、用紙の搬送方向（副走査方向Ｄ２）における下流側に位置する前面側底部１４１に設けられる。一対の脚部材８０は、前面側底部１４１における主走査方向Ｄ１の両側に備えられる。
【００５０】
図７（ｂ）は、図７（ａ）の使用状態にあるプリンター１０ａを主走査方向Ｄ１から見た図である。図７（ｂ）は、プリンター１０ａのハウジング１４内部で記録された用紙Ｐ２が、排出用開口部１３から排出ローラー５８により排出されるときの状態を示す。排出部カバー２０ａが、回動軸Ａ２を支点として回動し、排出部カバー２０ａは、水平方向に対して傾斜した姿勢で固定される。
【００５１】
図７（ａ）、（ｂ）の脚部材８０は、前面側底部１４１から立設した状態で固定され、脚部材８０の先端部が設置面Ｅに当接する。そのため、背面側底部１４２は設置面Ｅに当接し、前面側底部１４１は、設置面Ｅから離れた位置にある。
【００５２】
排出部カバー２０ａが傾斜して開いた状態において、排出部カバー２０ａの回動軸Ａ２側の端部によって、排出用開口部１３の下側が形成される。設置面Ｅから排出部カバー２０ａの回動軸Ａ２側の端部までの高さＨ３は、先に記録されて排出用開口部１３から排出されて設置面Ｅに積載された複数の用紙Ｐ１の最上部Ｐ１ａにおける設置面Ｅからの高さＨ４より高い。
【００５３】
このような構成により、ハウジング１４の設置面Ｅからの高さを高い状態に設定すれば、排出用開口部１３の設置面Ｅからの高さが高くなる。そのため、排出用開口部１３から排出されようとする用紙Ｐ２の先端部Ｐ２ａが、先に排出されて設置面Ｅに載置された用紙Ｐ１の上流側の側面Ｐ１ｂに当接することが抑制される。これにより、排出用開口部１３から排出されようとする用紙Ｐ２が排出用開口部１３の外側に排出できずに紙ジャムとなることが少なくなる。本実施形態におけるその他の構成は、実施形態１で説明した構成と同じである。
【００５４】
前面側底部１４１には、脚部材８０に対応する溝部８１がそれぞれ形成される。脚部材８０は、回動軸Ａ３を支点として回動方向Ｄ５に回動し、溝部８１に収容可能である。これにより、脚部材８０が溝部８１に収容された状態では、脚部材８０が前面側底部１４１から突出しないので、使用者は、プリンター１０ａを容易に携帯することができる。
【００５５】
（実施形態４）
実施形態４では、前面側底部と背面側底部に脚部材８０を備えたプリンターについて説明する。図８（ａ）は、本実施形態の使用状態のプリンター１０ｂを底部側から見た斜視図である。図８（ａ）は、図７（ａ）にさらに一対の脚部材８０を背面側底部１４２に回動可能に設けたものである。背面側底部１４２にも脚部材８０が収容可能な溝部８１が形成される。
【００５６】
図８（ｂ）は、図８（ａ）の使用状態にあるプリンター１０ｂを主走査方向Ｄ１から見た図である。図８（ｂ）は、本実施形態において、記録部３０で記録された用紙Ｐ２が、排出ローラー５８により下流側に排出されようとする状態を示す。排出用開口部１３の下側を形成する排出部カバー２０ａの回動軸Ａ２側の端面における設置面Ｅからの高さＨ５は、設置面Ｅに載置された複数の用紙Ｐ１の最上部Ｐ１ａにおける設置面Ｅからの高さＨ６より高い位置にある。
【００５７】
このような構成により、ハウジング１４の設置面Ｅからの高さを高い状態に設定すれば、排出用開口部１３の設置面Ｅからの高さが高くなる。そのため、排出用開口部１３から排出されようとする用紙Ｐ２の先端部Ｐ２ａが、先に排出されて設置面Ｅに載置された用紙Ｐ１の上流側の側面Ｐ１ｂに当接することが抑制される。これにより、排出用開口部１３から排出されようとする用紙Ｐ２が排出用開口部１３の外側に排出できずに紙ジャムとなることが少なくなる。本実施形態におけるその他の構成は、実施形態１で説明した構成と同じである。
【００５８】
また、本実施形態では、一対の脚部材８０が、前面側底部１４１および背面側底部１４２に備えられる。水平方向に対するプリンター１０ｂの傾斜角度を小さくできる。これにより、排出用開口部１３側が高い状態で水平方向に対するプリンター１０ｂの傾斜角度が大きい場合と比べて、排出用開口部１３から用紙Ｐ１，Ｐ２が容易に排出される。本実施形態におけるその他の構成は、実施形態１で説明した構成と同じである。本実施形態の脚部材８０は、角柱形状であったが、円柱形状であってもよい。
【００５９】
（実施形態５）
実施形態５では、ハウジング１４の底部にスライド可能に備えられた脚部材について説明する。図９（ａ）、（ｂ）は、ハウジング１４の底部１４５に備えられた脚部材９０の部分の斜視図である。
【００６０】
図９（ａ）のハウジング１４の底部１４５には、脚部材９０を収容可能な凹部９１が設けられる。脚部材９０には、底部１４５から突出した状態でハウジング１４と係合可能な係合部（不図示）が設けられ、脚部材９０は、底部１４５から突出した状態で固定される。
【００６１】
プリンター１０の使用状態すなわち記録部３０によって用紙に記録して排出するときは、図９（ａ）に示すように、底部１４５から突出した状態の脚部材９０を設置面Ｅに当接させる。これにより、排出用開口部１３の設置面Ｅからの高さが高くなる。そのため、排出用開口部１３から排出されようとする用紙が、先に排出されて設置面Ｅに積載された用紙の側面に当接し、排出用開口部１３の外側に排出できずに紙ジャムとなることが少なくなる。
【００６２】
図９（ｂ）に示すように、脚部材９０は、図９（ａ）の状態から上方にスライドし、凹部９１に収容可能である。これにより、脚部材９０が凹部９１に収容された状態では、脚部材９０が底部１４５から突出しないので、使用者は、プリンターを容易に携帯することができる。本実施形態におけるその他の構成は、実施形態１で説明した構成と同じである。
【００６３】
（実施形態６）
実施形態６では、ハウジング１４の一部が高さ調整部材として構成されるプリンターについて説明する。図１０（ａ）、（ｂ）は、本実施形態におけるプリンター１０ｃを底部（前面側底部１４１、背面側底部１４２）側から見た斜視図である。
【００６４】
高さ調整部材１４６は、ハウジング１４の底部を構成する壁部の一部である。高さ調整部材１４６は、回動軸Ａ４を支点として回動可能である。図１０（ａ）の高さ調整部材１４６の壁面は、前面側底部１４１、背面側底部１４２を構成する壁面と同じ位置にあって、面方向も同じである。
【００６５】
図１０（ａ）の高さ調整部材１４６は、回動方向Ｄ６に回動させ、前面側底部１４１から立設した状態で、高さ調整部材１４６とハウジング１４が係合する係合部（不図示）によって位置が固定される。
【００６６】
プリンター１０ｃの使用状態すなわち記録部３０によって用紙に記録し、排出用開口部１３から排出するときは、図１０（ｂ）に示すように、高さ調整部材１４６は、前面側底部１４１から立設した状態で行われる。
【００６７】
このような構成により、ハウジング１４とは別に高さ調整部材として部材を設けなくてもよいので、プリンター１０ｃの製造コストが増加することを抑制できる。本実施形態におけるその他の構成は、実施形態１で説明した構成と同じである。
【００６８】
実施形態１から実施形態６では、インクを噴射する記録ヘッド５４を備えたインクジェット式プリンターについて説明したが、感光体を備えた電子写真方式の記録装置などにも適用する。
【符号の説明】
【００６９】
１０，１０ａ，１０ｂ，１０ｃ…プリンター、１３…排出用開口部、１４…ハウジング、２０，２０ａ，７０…排出部カバー、３０…記録部、８０，９０…脚部材、８１…溝部、１４１…前面側底部、１４２…背面側底部、１４６…高さ調整部材。
【図１】
2015039777.tif 000003
【図２】
2015039777.tif 000004
【図３】
2015039777.tif 000005
【図４】
2015039777.tif 000006
【図５】
2015039777.tif 000007
【図６】
2015039777.tif 000008
【図７】
2015039777.tif 000009
【図８】
2015039777.tif 000010
【図９】
2015039777.tif 000011
【図１０】
2015039777.tif 000012